(57)【要約】      （修正有）【課題】一般家庭の屋内でハンモックを使用するために、低コストでスペース有効利用、利便性を向上させたハンモックスタンドを提供する。【解決手段】ハンモックスタンドの枠組み構造をベッド８を取り囲むように改造する。構造変更により発生した余分な曲げ応力については、チェーン５の使用により解消し、従来のハンモックスタンドと同等の耐久性を得る。【選択図】図２
2012029960.tif 000002
【特許請求の範囲】
【請求項１】
地面に設置された水平バー(１)の両端にポスト(２)が連結され、そのポスト(２)は、水平バー(１)の長手方向軸から斜め方向、水平バー(１)の長手方向の直交軸から９０度の角度で立っている。この水平バー(１)とその両端に連結された２本のポスト(２)の組み合わせの構造が２組平行に並べられ、その対向するポスト(２)の上端が連結バー(３)で連結された枠組み構造とする。この対向する両方のポスト(２)と連結バー(３)の連結点がチェーン(５)で連結され、そのチェーン(５)の中間点にハンモックを吊り下げるフック(６)が設けられてなることを特徴としたハンモックスタンド。
【発明の詳細な説明】
【技術分野】
【０００１】
本発明は、一般家庭のベッドの上部にハンモックを施設するためのハンモックスタンドに関する。        
【背景技術】
【０００２】
従来のハンモックスタンドでは、人間の加重によるハンモックの引っ張り力に耐え得る、より簡易な構造のハンモックスタンドが検討されている。
【０００３】
図３により、従来のハンモックスタンドについて説明する。図３において地面に置かれた水平バー(１)の両端にポスト(２)が連結されており、左右ポスト(２)の上端にハンモック(７)を吊り下げる構造になっている。人間が乗った時に加わるハンモック(７)からの引っ張り力に対して水平バー(１)とポスト(２)の曲げ応力を軽減させるため、水平バー(１)に対するポスト(２)の連結角度は、ハンモック(７)からの引っ張り方向に近づけて、垂直より斜めに設計されている。
【０００４】
図４では、図３の水平バー(１)と２本のポスト(２)の組み合わせを２組平行に並べて、ポスト(２)を内側に傾け、前後のポスト(２)の上端でこの２組を連結させている。この左右の連結部にハンモック(７)を吊り下げる。
【先行技術文献】
【特許文献】
【０００５】
【特許文献１】特表２００３−５２３２２６
【特許文献２】特開平７−１９４４３１
【発明の概要】
【発明が解決しようとする課題】
【０００６】
従来のハンモックスタンドは主に野外用に設計されており、屋内特に一般家庭で使用する際のスペース有効利用、利便性について配慮された構造のハンモックスタンドについての先行技術文献はほとんど見られない。従来のハンモックスタンドでは設置するのに大きなスペースが必要であり、一般家庭の屋内で使用するのに大きなデメリットとなる。
【０００７】
本発明は、一般家庭の屋内でハンモックを使用するために、低コストでスペース有効利用、利便性の機能を向上させたハンモックスタンドを実現することを目的とする。
【課題を解決するための手段】
【０００８】
一般家庭の屋内でハンモックを施設する場合、スペース有効利用および利便性の面から見て、最も良いスペースはベッド（寝台）の上部と考えられる。
【０００９】
従来のハンモックスタンドでベッド上部にハンモックを施設する場合、図３の構造のハンモックスタンドでは、水平バー(１)をベッドの下に設置する必要があり、既存のベッドに施設することは不可能である。図４の構造のハンモックスタンドでは、２本の水平バー(１)をベッドの外側に設置したとしても、ポスト(２)が内側に傾いているので水平バー(１)を長くしベッドの外側にポスト(２)を設置する必要があり、余分な大きいスペースが必要となる。
【００１０】
本発明のハンモックスタンド構造を示した図１では、ポスト(２)を内側に傾けないで垂直に立て、この向かい合ったポスト(２)の上端を連結バー(３)で連結し固定した枠組み構造とする。これによって図２に示すように、ベッド(８)の設置スペースに対して水平バー(１)及びポスト(２)の太さ分のみのスペース増加で、ハンモックスタンドの施設が行える。
【００１１】
本発明のハンモックスタンド(図１，図２)において、ハンモック(７)を連結バー(３)に直接吊り下げると連結バー(３)に大きな曲げ応力が加わって耐久性が悪くなる。そこで、ポスト(２)と連結バー(３)の前後の連結点すなわち連結バー(３)の両端をチェーン(５)で連結させ、そのチェーン(５)の中間点にフック(６)を取り付けてハンモック(７)を吊り下げる構造とする。これによって連結バー(３)に曲げ応力が加わらず、従来のハンモックスタンドと同等の耐久性が得られる。
【発明の効果】
【００１２】
上述したように、一般家庭の既存のベッドに最小限のスペース増加でハンモックスタンドを施設することが出来、従来のハンモックスタンドと同等の耐久性でハンモックの使用が可能となる。
【図面の簡単な説明】
【００１３】
【図１】本発明のハンモックスタンドの斜視図。
【図２】本発明のハンモックスタンドをベッドにセットした斜視図。
【図３】従来のハンモックスタンド例１の斜視図。
【図４】従来のハンモックスタンド例２の斜視図。
【発明を実施するための形態】
【００１４】
以下、本発明の実施の形態を図１〜図２に基づいて説明する。
【００１５】
図１は全体の枠組み構造であり、水平バー(１)はその両端にポスト(２)が連結されている。その連結角度は曲げ応力に対する耐久性や利便性により決定する。この構造が２組平行に置かれ、対向したポスト(２)の上端が連結バー(３)で連結される。対向した前後の水平バー(１)は補強バー(４)で連結され、枠組み全体の歪みを抑制する。対向した前後のポスト(２)と連結バー(３)の連結点はチェーン(５)で連結され、そのチェーン(５)の中間点でハンモック(７)が吊り下げられる構造となる。チェーン(５)の長さは、ハンモック(７)からの引っ張り力に対する耐久性およびハンモック(７)のたるみ度によって決定する。
【００１６】
図２は、ベッド(８)に本発明のハンモックスタンドが施設された図である。連結バー(３)の長さは、ベッド(８)の短手方向の長さに水平バー(１)及びポスト(２)の設置分が加味された値となる。ハンモックスタンド全体の長手方向の長さは、ベッド(８)の長手方向の長さに合わせる。
【符号の説明】
【００１７】
１  水平バー
２  ポスト
３  連結バー
５  チェーン
６  フック
【図１】
2012029960.tif 000003
【図２】
2012029960.tif 000004
【図３】
2012029960.tif 000005
【図４】
2012029960.tif 000006
【手続補正書】
【提出日】平成22年8月30日(2010.8.30)
【手続補正１】
【補正対象書類名】明細書
【補正対象項目名】全文
【補正方法】変更
【補正の内容】
【発明の詳細な説明】
【技術分野】
【０００１】
本発明は、一般家庭のベッドの上部にハンモックを施設するためのハンモックスタンドに関する。
【背景技術】
【０００２】
従来のハンモックスタンドでは、人間の加重によるハンモックの引っ張り力に耐え得る、より簡易な構造のハンモックスタンドが検討されている。
【０００３】
図３により、従来のハンモックスタンドについて説明する。図３において地面に置かれた水平バー(１)の両端にポスト(２)が連結されており、左右ポスト(２)の上端にハンモック(７)を吊り下げる構造になっている。人間が乗った時に加わるハンモック(７)からの引っ張り力に対して水平バー(１)とポスト(２)の曲げ応力を軽減させるため、水平バー(１)に対するポスト(２)の連結角度は、ハンモック(７)からの引っ張り方向に近づけて、垂直より斜めに設計されている。
【０００４】
図４では、図３の水平バー(１)と２本のポスト(２)の組み合わせを２組平行に並べて、ポスト(２)を内側に傾け、前後のポスト(２)の上端でこの２組を連結させている。この左右の連結部にハンモック(７)を吊り下げる。
【先行技術文献】
【特許文献】
【０００５】
【特許文献１】特表２００３−５２３２２６
【特許文献２】特開平７−１９４４３１
【発明の概要】
【発明が解決しようとする課題】
【０００６】
従来のハンモックスタンドは主に野外用に設計されており、屋内特に一般家庭で使用する際のスペース有効利用、利便性および安全性について配慮された構造のハンモックスタンドについての先行技術文献はほとんど見られない。従来のハンモックスタンドでは設置するのに大きなスペースが必要であり、一般家庭の屋内で使用するのに大きなデメリットとなる。
【０００７】
本発明は、一般家庭の屋内でハンモックを使用するために、低コストでスペース有効利用、利便性の機能を向上させたハンモックスタンドを実現することを目的とする。
【課題を解決するための手段】
【０００８】
一般家庭の屋内でハンモックを施設する場合、スペース有効利用および利便性の面から見て、最も良いスペースはベッド（寝台）の上部と考えられる。
【０００９】
従来のハンモックスタンドでベッド上部にハンモックを施設する場合、図３の構造のハンモックスタンドでは、水平バー(１)をベッドの下に設置する必要があり、既存のベッドに施設することは不可能である。図４の構造のハンモックスタンドでは、２本の水平バー(１)をベッドの外側に設置したとしても、ポスト(２)が内側に傾いているので水平バー(１)を長くしベッドの外側にポスト(２)を設置する必要があり、余分な大きいスペースが必要となる。
【００１０】
本発明のハンモックスタンド構造を示した図１では、ポスト(２)を内側に傾けないで垂直に立て、この向かい合ったポスト(２)の上端を連結バー(３)で連結し固定した枠組み構造とする。これによって図２に示すように、ベッド(８)の設置スペースに対して水平バー(１)及びポスト(２)の太さ分のみのスペース増加で、ハンモックスタンドの施設が行える。
【００１１】
本発明のハンモックスタンド(図１，図２)において、ハンモック(７)を連結バー(３)に直接吊り下げると連結バー(３)に大きな曲げ応力が加わって耐久性が悪くなる。そこで、ポスト(２)と連結バー(３)の前後の連結点すなわち連結バー(３)の両端をチェーン(５)で連結させ、そのチェーン(５)の中間点にフック(６)を取り付けてハンモック(７)を吊り下げる構造とする。これによって連結バー(３)に曲げ応力が加わらず、従来のハンモックスタンドと同等の耐久性が得られる。
【００１２】
本発明のハンモックスタンド構造では、水平バー(１)の両端のポスト(２)の中間部を水平の乗降補助バー(９)で連結すことが出来るため、この乗降補助バー(９)をハンモック乗降時の補助となる取手として利用することが出来る。
【００１３】
本発明のハンモックスタンド構造では、乗降補助バー(９)の他に、水平バー(１)の両端のポスト(２)の上端部を転落防止用渡しロープ(１０)で繋ぐことが出来る。この乗降補助バー(９)または転落防止用渡しロープ(１０)に、スライドして移動できる転落防止連結ロープ(１１)を繋ぎ、人間に装着されたベルト(１２)に付けられた転落防止用フック(１３)に、転落防止連結ロープ(１１)のもう一方の端を繋ぐことによって、ハンモックからの人の転落防止機構を作ることが出来る。
【発明の効果】
【００１４】
上述したように、一般家庭の既存のベッドに最小限のスペース増加でハンモックスタンドを施設することが出来、従来のハンモックスタンドと同等の耐久性でハンモックの使用が可能となると共に安全性の向上も図れる。
【図面の簡単な説明】
【００１５】
【図１】本発明のハンモックスタンドの斜視図。
【図２】本発明のハンモックスタンドをベッドにセットした斜視図。
【図３】従来のハンモックスタンド例１の斜視図。
【図４】従来のハンモックスタンド例２の斜視図。
【図５】乗降補助バーを付加した本発明のハンモックスタンドの斜視図。
【図６】転落防止機構を付加した本発明のハンモックスタンドの斜視図。
【図７】転落防止機構の装着図。
【発明を実施するための形態】
【００１６】
以下、本発明の実施の形態を図１,２,５,７に基づいて説明する。
【００１７】
図１は全体の枠組み構造であり、水平バー(１)はその両端にポスト(２)が連結されている。その連結角度は曲げ応力に対する耐久性や利便性により決定する。この構造が２組平行に置かれ、対向したポスト(２)の上端が連結バー(３)で連結される。対向した前後の水平バー(１)は補強バー(４)で連結され、枠組み全体の歪みを抑制する。対向した前後のポスト(２)と連結バー(３)の連結点はチェーン(５)で連結され、そのチェーン(５)の中間点でハンモック(７)が吊り下げられる構造となる。チェーン(５)の長さは、ハンモック(７)からの引っ張り力に対する耐久性およびハンモック(７)のたるみ度によって決定する。
【００１８】
図２は、ベッド(８)に本発明のハンモックスタンドが施設された図である。連結バー(３)の長さは、ベッド(８)の短手方向の長さに水平バー(１)及びポスト(２)の設置分が加味された値となる。ハンモックスタンド全体の長手方向の長さは、ベッド(８)の長手方向の長さに合わせる。
【００１９】
図５は、図２に乗降補助バー(９)を付加した図である。乗降補助バー(９)の高さは、ハンモックに人が乗った時つかまりやすい高さに設定する。
【００２０】
図７は、転落防止機構が装着された図である。奥に乗降補助バー(９)、手前に転落防止用渡しロープ(１０)が設置されている。転落防止用渡しロープ(１０)は取り外しが容易なので、ベッドに入る時に転落防止用渡しロープ(１０)を外し、ベッドに入った後転落防止用渡しロープ(１０)を取り付ける。乗降補助バー(９)および転落防止用渡しロープ(１０)には、転落防止連結ロープ(１１)が繋がっている。転落防止連結ロープ(１１)の端は輪になっており、この輪に乗降補助バー(９)または転落防止用渡しロープ(１０)が通されるため、これをスライドして移動することが出来る。人はベルト(１２)を装着した後ハンモックに乗り、ベルト(１２)の両脇に付いた転落防止用フック(１３)に転落防止連結ロープ(１１)を繋げて、ハンモックからの人の転落防止機構が完成する。
【符号の説明】
【００２１】
１  水平バー
２  ポスト
３  連結バー
５  チェーン
６  フック
９  乗降補助バー
１０  転落防止用渡しロープ
１１  転落防止連結ロープ
１２  ベルト
１３  転落防止用フック
【手続補正２】
【補正対象書類名】特許請求の範囲
【補正対象項目名】全文
【補正方法】変更
【補正の内容】
【特許請求の範囲】
【請求項１】
地面に設置された水平バー(１)の両端にポスト(２)が連結され、そのポスト(２)は、水平バー(１)の長手方向軸から斜め方向、水平バー(１)の長手方向の地面上の直交軸から９０度の角度で立っている。この水平バー(１)とその両端に連結された２本のポスト(２)の組み合わせの構造が２組平行に並べられ、その対向するポスト(２)の上端が連結バー(３)で連結された枠組み構造とする。この対向する両方のポスト(２)と連結バー(３)の連結点がチェーン(５)で連結され、そのチェーン(５)の中間点にハンモックを吊り下げるフック(６)が設けられてなることを特徴としたハンモックスタンド。
【請求項２】
ハンモック乗降時の補助となる取手とするための、請求項１のハンモックスタンドの水平バー(１)の両端のポスト(２)の中間部を水平の乗降補助バー(９)で連結した構造。この乗降補助バー(９)または請求項１のハンモックスタンドの水平バー(１)の両端のポスト(２)の上端を繋いだ転落防止用渡しロープ(１０)が、請求項１のハンモックスタンドの平行に並んだ2組(前後)の水平バー(１)と両端のポスト(２)の組み合わせの両方に設置される。各々の乗降補助バー(９)または転落防止用渡しロープ(１０)には、その乗降補助バー(９)または転落防止用渡しロープ(１０)をスライドして移動できる転落防止連結ロープ(１１)が繋がれている。人はハンモックに乗る際ベルト(１２)を装着する。ベルト(１２)の両脇には転落防止用フック(１３)が付いており、この転落防止用フック(１３)に転落防止連結ロープ(１１)を繋ぐことによりなる、ハンモックからの人の転落防止機構。
【手続補正３】
【補正対象書類名】図面
【補正対象項目名】図５
【補正方法】変更
【補正の内容】
【図５】
2012029960.tif 000007
【手続補正４】
【補正対象書類名】図面
【補正対象項目名】図６
【補正方法】変更
【補正の内容】
【図６】
2012029960.tif 000008
【手続補正５】
【補正対象書類名】図面
【補正対象項目名】図７
【補正方法】変更
【補正の内容】
【図７】
2012029960.tif 000009
【手続補正書】
【提出日】平成22年11月5日(2010.11.5)
【手続補正１】
【補正対象書類名】明細書
【補正対象項目名】全文
【補正方法】変更
【補正の内容】
【発明の詳細な説明】
【技術分野】
【０００１】
本発明は、一般家庭のベッドの上部にハンモックを施設するためのハンモックスタンドに関する。
【背景技術】
【０００２】
従来のハンモックスタンドでは、人間の加重によるハンモックの引っ張り力に耐え得る、より簡易な構造のハンモックスタンドが検討されている。
【０００３】
図３により、従来のハンモックスタンドについて説明する。図３において地面に置かれた水平バー(１)の両端にポスト(２)が連結されており、左右ポスト(２)の上端にハンモック(７)を吊り下げる構造になっている。人間が乗った時に加わるハンモック(７)からの引っ張り力に対して水平バー(１)とポスト(２)の曲げ応力を軽減させるため、水平バー(１)に対するポスト(２)の連結角度は、ハンモック(７)からの引っ張り方向に近づけて、垂直より斜めに設計されている。
【０００４】
図４では、図３の水平バー(１)と２本のポスト(２)の組み合わせを２組平行に並べて、ポスト(２)を内側に傾け、前後のポスト(２)の上端でこの２組を連結させている。この左右の連結部にハンモック(７)を吊り下げる。
【先行技術文献】
【特許文献】
【０００５】
【特許文献１】特表２００３−５２３２２６
【特許文献２】特開平７−１９４４３１
【発明の概要】
【発明が解決しようとする課題】
【０００６】
従来のハンモックスタンドは主に野外用に設計されており、屋内特に一般家庭で使用する際のスペース有効利用、利便性および安全性について配慮された構造のハンモックスタンドについての先行技術文献はほとんど見られない。従来のハンモックスタンドでは設置するのに大きなスペースが必要であり、一般家庭の屋内で使用するのに大きなデメリットとなる。
【０００７】
ハンモックは、ベット(就寝用)やソファー(読書用等)の代用として多目的なインテリヤとなる可能性を持っているが、これら個々の使用目的に対する最適化の検討がなされていない。
【０００８】
本発明は、一般家庭の屋内でハンモックを使用するために、低コストでスペース有効利用、利便性の機能を向上させたハンモックスタンドを実現することを目的とする。
【課題を解決するための手段】
【０００９】
一般家庭の屋内でハンモックを施設する場合、スペース有効利用および利便性の面から見て、最も良いスペースはベッド（寝台）の上部と考えられる。
【００１０】
従来のハンモックスタンドでベッド上部にハンモックを施設する場合、図３の構造のハンモックスタンドでは、水平バー(１)をベッドの下に設置する必要があり、既存のベッドに施設することは不可能である。図４の構造のハンモックスタンドでは、２本の水平バー(１)をベッドの外側に設置したとしても、ポスト(２)が内側に傾いているので水平バー(１)を長くしベッドの外側にポスト(２)を設置する必要があり、余分な大きいスペースが必要となる。
【００１１】
本発明のハンモックスタンド構造を示した図１では、ポスト(２)を内側に傾けないで垂直に立て、この向かい合ったポスト(２)の上端を連結バー(３)で連結し固定した枠組み構造とする。これによって図２に示すように、ベッド(８)の設置スペースに対して水平バー(１)及びポスト(２)の太さ分のみのスペース増加で、ハンモックスタンドの施設が行える。
【００１２】
本発明のハンモックスタンド(図１，図２)において、ハンモック(７)を連結バー(３)に直接吊り下げると連結バー(３)に大きな曲げ応力が加わって耐久性が悪くなる。そこで、ポスト(２)と連結バー(３)の前後の連結点すなわち連結バー(３)の両端をチェーン(５)で連結させ、そのチェーン(５)の中間点にフック(６)を取り付けてハンモック(７)を吊り下げる構造とする。これによって連結バー(３)に曲げ応力が加わらず、従来のハンモックスタンドと同等の耐久性が得られる。
【００１３】
本発明のハンモックスタンド構造では、水平バー(１)の両端のポスト(２)の中間部を水平の乗降補助バー(９)で連結すことが出来るため、この乗降補助バー(９)をハンモック乗降時の補助となる取っ手として利用することが出来る。
【００１４】
本発明のハンモックスタンド構造では、乗降補助バー(９)の他に、水平バー(１)の両端のポスト(２)の上端部を転落防止用渡しロープ(１０)で繋ぐことが出来る。この乗降補助バー(９)または転落防止用渡しロープ(１０)に、スライドして移動できる転落防止連結ロープ(１１)を繋ぎ、人間に装着されたベルト(１２)に付けられた転落防止用フック(１３)に、転落防止連結ロープ(１１)のもう一方の端を繋ぐことによって、ハンモックからの人の転落防止機構を作ることが出来る。
【００１５】
ハンモックの用途一つとして揺らしてその体感を楽しむことがあり、これを実現させるため従来のハンモック(７)は、その両端の吊り下げ部で綱がまとめられて結ばれ、一点で吊り下げられる形態になっている。しかし、就寝用としてはむしろ揺れないで安定していることが要求される。また、従来のハンモック(７)の両端の綱がまとめられて結ばれる部分の面積(三角形の部分)は人が乗れない部分であり、本発明は既存のベットの上部での使用を目的としているから、この限られたスペースで出来るだけ無駄な部分を省く必要がある。そこで、ハンモックの吊り下げ部の綱を一つにまとめず、平行に並んだ綱をそのまま伸ばしその複数の綱それぞれを吊り下げる様な形態のハンモック(１４)が望まれる。本発明のハンモックスタンドでは、チェーン(５)に複数のフック（１５）を取り付けることによって、この新たな形態のハンモックを実現することが出来る。
【００１６】
就寝用のハンモックは綱を引っ張り出来るだけ吊り下げ角度を水平にさせる事が望まれる。また、読書時等のソファーとしてハンモックを使う場合は、綱をたるませ吊り下げ角度を垂直に近づけることが望まれる。後者の場合はハンモックの吊り下げ位置を高くする必要があるが、前者の場合高くすると安全性に問題ありハンモックの乗り降りも不便になるので、ハンモックの吊り下げ位置を低くする必要がある。本発明のハンモックスタンドでは、各種高さのポスト(２)一対と連結バー(３)で構成されたフレームを複数個水平バーに取り付けることが出来る。これによって、各種用途(就寝用、ソファー等)に合わせたハンモックの吊り下げ位置の高さを同時に満足させるハンモックスタンドを作ることが出来る。
【発明の効果】
【００１７】
上述したように、一般家庭の既存のベッドに最小限のスペース増加でハンモックスタンドを施設することが出来、従来のハンモックスタンドと同等の耐久性でハンモックの使用が可能となると共に安全性の向上および使用目的に対応した最適化も図れる。
【図面の簡単な説明】
【００１８】
【図１】本発明のハンモックスタンドの斜視図。
【図２】本発明のハンモックスタンドをベッドにセットした斜視図。
【図３】従来のハンモックスタンド例１の斜視図。
【図４】従来のハンモックスタンド例２の斜視図。
【図５】乗降補助バーを付加した本発明のハンモックスタンドの斜視図。
【図６】転落防止機構を付加した本発明のハンモックスタンドの斜視図。
【図７】転落防止機構の装着図。
【図８】新たな形態のハンモックに対応した本発明のハンモックスタンドの斜視図。 
【図９】２つの高さのフレームを装備した本発明のハンモックスタンドの斜視図。 
【図１０】読書使用時のハンモックスタンドの斜視図。 
【図１１】図９に補強、取っ手を付加した本発明のハンモックスタンドの斜視図。
【発明を実施するための形態】
【００１９】
以下、本発明の実施の形態を図１,２,５,７,８,９,10,11に基づいて説明する。
【００２０】
図１は全体の枠組み構造であり、水平バー(１)はその両端にポスト(２)が連結されている。その連結角度は曲げ応力に対する耐久性や利便性により決定する。この構造が２組平行に置かれ、対向したポスト(２)の上端が連結バー(３)で連結される。対向した前後の水平バー(１)は補強バー(４)で連結され、枠組み全体の歪みを抑制する。対向した前後のポスト(２)と連結バー(３)の連結点はチェーン(５)で連結され、そのチェーン(５)の中間点でハンモック(７)が吊り下げられる構造となる。チェーン(５)の長さは、ハンモック(７)からの引っ張り力に対する耐久性およびハンモック(７)のたるみ度によって決定する。
【００２１】
図２は、ベッド(８)に本発明のハンモックスタンドが施設された図である。連結バー(３)の長さは、ベッド(８)の短手方向の長さに水平バー(１)及びポスト(２)の設置分が加味された値となる。ハンモックスタンド全体の長手方向の長さは、ベッド(８)の長手方向の長さに合わせる。
【００２２】
図５は、図２に乗降補助バー(９)を付加した図である。乗降補助バー(９)の高さは、ハンモックに人が乗った時つかまりやすい高さに設定する。
【００２３】
図７は、転落防止機構が装着された図である。奥に乗降補助バー(９)、手前に転落防止用渡しロープ(１０)が設置されている。転落防止用渡しロープ(１０)は取り外しが容易なので、ベッドに入る時に転落防止用渡しロープ(１０)を外し、ベッドに入った後転落防止用渡しロープ(１０)を取り付ける。乗降補助バー(９)および転落防止用渡しロープ(１０)には、転落防止連結ロープ(１１)が繋がっている。転落防止連結ロープ(１１)の端は輪になっており、この輪に乗降補助バー(９)または転落防止用渡しロープ(１０)が通されるため、これをスライドして移動することが出来る。人はベルト(１２)を装着した後ハンモックに乗り、ベルト(１２)の両脇に付いた転落防止用フック(１３)に転落防止連結ロープ(１１)を繋げて、ハンモックからの人の転落防止機構が完成する。
【００２４】
図８は、ハンモックの吊り下げ部を１つにまとめずに平行の綱をそのまままっすぐに伸ばしてこの複数の綱を吊り下げ部にしようとする新たな形態のハンモック(１４)とこれを吊り下げる本発明のハンモックスタンドを示している。ハンモックスタンドのチェーン部(５)には複数のフック(１５)が取り付けられており、このフックに新たな形態のハンモック(１４)を吊り下げる。
【００２５】
図９は、ポスト(２)と連結バー(３)で構成されたフレームのセットを高いものと低いもの１セットづつ計２セットを水平バー(１)に取り付けた本発明のハンモックスタンドを示している。図１０は、高い方のフレームにハンモックを吊り下げ、読書用のソファーとして使用している図を示している。図１１は、図９のハンモックスタンドに補強バー(１６)と出入り補助バー(１７)を付加した図である。出入り補助バー(１７)は乗降補助バー(９)よりも取り付け位置を高くし、本ハンモックスタンドが設置されたベットに出入りする際これにつかまり、足がハンモックに引っ掛かっても転ばないようにするための取っ手である。
【符号の説明】
【００２６】
１  水平バー
２  ポスト
３  連結バー
５  チェーン
６  フック
９  乗降補助バー
１０  転落防止用渡しロープ
１１  転落防止連結ロープ
１２  ベルト
１３  転落防止用フック
１５  複数のフック
【手続補正２】
【補正対象書類名】特許請求の範囲
【補正対象項目名】全文
【補正方法】変更
【補正の内容】
【特許請求の範囲】
【請求項１】
地面に設置された水平バー(１)の両端にポスト(２)が連結され、そのポスト(２)は、水平バー(１)の長手方向軸から斜め方向、水平バー(１)の長手方向の地面上の直交軸から９０度の角度で立っている。この水平バー(１)とその両端に連結された２本のポスト(２)の組み合わせの構造が２組平行に並べられ、その対向するポスト(２)の上端が連結バー(３)で連結された枠組み構造とする。この対向する両方のポスト(２)と連結バー(３)の連結点がチェーン(５)で連結され、そのチェーン(５)の中間点にハンモックを吊り下げるフック(６)が設けられてなることを特徴としたハンモックスタンド。
【請求項２】
ハンモック乗降時の補助となる取っ手とするための、請求項１のハンモックスタンドの水平バー(１)の両端のポスト(２)の中間部を水平の乗降補助バー(９)で連結した構造。この乗降補助バー(９)または請求項１のハンモックスタンドの水平バー(１)の両端のポスト(２)の上端を繋いだ転落防止用渡しロープ(１０)が、請求項１のハンモックスタンドの平行に並んだ2組(前後)の水平バー(１)と両端のポスト(２)の組み合わせの両方に設置される。各々の乗降補助バー(９)または転落防止用渡しロープ(１０)には、その乗降補助バー(９)または転落防止用渡しロープ(１０)をスライドして移動できる転落防止連結ロープ(１１)が繋がれている。人はハンモックに乗る際ベルト(１２)を装着する。ベルト(１２)の両脇には転落防止用フック(１３)が付いており、この転落防止用フック(１３)に転落防止連結ロープ(１１)を繋ぐことによりなる、ハンモックからの人の転落防止機構。
【請求項３】
請求項１のハンモックスタンドにおいて、チェーン(５)の適当な位置に複数個のフック(１５)を取り付け、これにハンモックを吊り下げることを特徴としたハンモックスタンド。
【請求項４】
請求項１のハンモックスタンドにおいて、各種長さのポスト(２)一対と連結バー(３)で構成されたフレームを複数個水平バー(１)に取り付け、複数の異なる高さのハンモック吊り下げ部位を装備したことを特徴としたハンモックスタンド。
【手続補正３】
【補正対象書類名】図面
【補正対象項目名】図８
【補正方法】追加
【補正の内容】
【図８】
2012029960.tif 000010
【手続補正４】
【補正対象書類名】図面
【補正対象項目名】図９
【補正方法】追加
【補正の内容】
【図９】
2012029960.tif 000011
【手続補正５】
【補正対象書類名】図面
【補正対象項目名】図１０
【補正方法】追加
【補正の内容】
【図１０】
2012029960.tif 000012
【手続補正６】
【補正対象書類名】図面
【補正対象項目名】図１１
【補正方法】追加
【補正の内容】
【図１１】
2012029960.tif 000013
【手続補正書】
【提出日】平成22年12月26日(2010.12.26)
【手続補正１】
【補正対象書類名】明細書
【補正対象項目名】全文
【補正方法】変更
【補正の内容】
【発明の詳細な説明】
【技術分野】
【０００１】
本発明は、一般家庭のベッドの上部にハンモックを施設するためのハンモックスタンドに関する。
【背景技術】
【０００２】
従来のハンモックスタンドでは、人間の加重によるハンモックの引っ張り力に耐え得る、より簡易な構造のハンモックスタンドが検討されている。
【０００３】
図３により、従来のハンモックスタンドについて説明する。図３において地面に置かれた水平バー(１)の両端にポスト(２)が連結されており、左右ポスト(２)の上端にハンモック(７)を吊り下げる構造になっている。人間が乗った時に加わるハンモック(７)からの引っ張り力に対して水平バー(１)とポスト(２)の曲げ応力を軽減させるため、水平バー(１)に対するポスト(２)の連結角度は、ハンモック(７)からの引っ張り方向に近づけて、垂直より斜めに設計されている。
【０００４】
図４では、図３の水平バー(１)と２本のポスト(２)の組み合わせを２組平行に並べて、ポスト(２)を内側に傾け、前後のポスト(２)の上端でこの２組を連結させている。この左右の連結部にハンモック(７)を吊り下げる。
【先行技術文献】
【特許文献】
【０００５】
【特許文献１】特表２００３−５２３２２６
【特許文献２】特開平７−１９４４３１
【発明の概要】
【発明が解決しようとする課題】
【０００６】
従来のハンモックスタンドは主に野外用に設計されており、屋内特に一般家庭で使用する際のスペース有効利用、利便性および安全性について配慮された構造のハンモックスタンドについての先行技術文献はほとんど見られない。従来のハンモックスタンドでは設置するのに大きなスペースが必要であり、一般家庭の屋内で使用するのに大きなデメリットとなる。
【０００７】
ハンモックは、ベット(就寝用)やソファー(読書用等)の代用として多目的なインテリヤとなる可能性を持っているが、これら個々の使用目的に対する最適化の検討がなされていない。
【０００８】
本発明は、一般家庭の屋内でハンモックを使用するために、低コストでスペース有効利用、利便性の機能を向上させたハンモックスタンドを実現することを目的とする。
【課題を解決するための手段】
【０００９】
一般家庭の屋内でハンモックを施設する場合、スペース有効利用および利便性の面から見て、最も良いスペースはベッド（寝台）の上部と考えられる。
【００１０】
従来のハンモックスタンドでベッド上部にハンモックを施設する場合、図３の構造のハンモックスタンドでは、水平バー(１)をベッドの下に設置する必要があり、既存のベッドに施設することは不可能である。図４の構造のハンモックスタンドでは、２本の水平バー(１)をベッドの外側に設置したとしても、ポスト(２)が内側に傾いているので水平バー(１)を長くしベッドの外側にポスト(２)を設置する必要があり、余分な大きいスペースが必要となる。
【００１１】
本発明のハンモックスタンド構造を示した図１では、ポスト(２)を内側に傾けないで垂直に立て、この向かい合ったポスト(２)の上端を連結バー(３)で連結し固定した枠組み構造とする。これによって図２に示すように、ベッド(８)の設置スペースに対して水平バー(１)及びポスト(２)の太さ分のみのスペース増加で、ハンモックスタンドの施設が行える。
【００１２】
本発明のハンモックスタンド(図１，図２)において、ハンモック(７)を連結バー(３)に直接吊り下げると連結バー(３)に大きな曲げ応力が加わって耐久性が悪くなる。そこで、ポスト(２)と連結バー(３)の前後の連結点すなわち連結バー(３)の両端をチェーン(５)で連結させ、そのチェーン(５)の中間点にフック(６)を取り付けてハンモック(７)を吊り下げる構造とする。これによって連結バー(３)に曲げ応力が加わらず、従来のハンモックスタンドと同等の耐久性が得られる。
【００１３】
本発明のハンモックスタンド構造では、水平バー(１)の両端のポスト(２)の中間部を水平の取っ手バー(９)で連結すことが出来るため、この取っ手バー(９)をハンモック乗降時の補助となる取っ手として利用することが出来る。
【００１４】
本発明のハンモックスタンド構造では、取っ手バー(９)の他に、水平バー(１)の両端のポスト(２)の上端部を転落防止用渡しロープ(１０)で繋ぐことが出来る。この取っ手バー(９)または転落防止用渡しロープ(１０)に、スライドして移動できる転落防止連結ロープ(１１)を繋ぎ、人間に装着されたベルト(１２)に付けられた転落防止用フック(１３)に、転落防止連結ロープ(１１)のもう一方の端を繋ぐことによって、ハンモックからの人の転落防止機構を作ることが出来る。
【００１５】
ハンモックの用途一つとして揺らしてその体感を楽しむことがあり、これを実現させるため従来のハンモック(７)は、その両端の吊り下げ部で綱がまとめられて結ばれ、一点で吊り下げられる形態になっている。しかし、就寝用としてはむしろ揺れないで安定していることが要求される。また、従来のハンモック(７)の両端の綱がまとめられて結ばれる部分の面積(三角形の部分)は人が乗れない部分であり、本発明は既存のベッドの上部での使用を目的としているから、この限られたスペースで出来るだけ無駄な部分を省く必要がある。そこで、ハンモックの吊り下げ部の綱を一つにまとめず、平行に並んだ綱をそのまま伸ばしその複数の綱それぞれを吊り下げる様な形態のハンモック(１４)が望まれる。本発明のハンモックスタンドでは、チェーン(５)に複数のフック（１５）を取り付けることによって、この新たな形態のハンモックを実現することが出来る。
【００１６】
就寝用のハンモックは綱を引っ張り出来るだけ吊り下げ角度を水平にさせる事が望まれる。また、読書時等のソファーとしてハンモックを使う場合は、綱をたるませ吊り下げ角度を垂直に近づけることが望まれる。後者の場合はハンモックの吊り下げ位置を高くする必要があるが、前者の場合高くすると安全性に問題ありハンモックの乗り降りも不便になるので、ハンモックの吊り下げ位置を低くする必要がある。本発明のハンモックスタンドでは、各種高さのポスト(２)一対と連結バー(３)で構成されたフレームを複数個水平バー(１)に取り付けることが出来る。これによって、各種用途(就寝用、ソファー等)に合わせたハンモックの吊り下げ位置の高さを同時に満足させるハンモックスタンドを作ることが出来る。
【００１７】
本発明のハンモックスタンドでは、ベッドに座った時の背もたれとしてハンモックを活用することが出来る。図１０のハンモックの足側の吊り下げ位置を上段から下段に下げることで、ハンモック(７)がたるみ人のでん部がベッド(８)に付いてハンモック(７)がそのまま背もたれとなる。しかしこのままでは足側のハンモック(７)が浮いた状態なので、押え付けバー(１７)で足側のハンモックをベッドに押え付ける。ハンモック(７)の吊り下げ部とフック(６)の間に長さ調節バンド(１８)を挿入して、この長さを調節することによりリクライニングを調節することが出来る(図１２)。
【００１８】
本発明のハンモックスタンドでは、そのフレーム構造を利用して各種アイテムを装備することにより、新たな居住空間を造り出すことが出来る。取っ手バー(９)とその直下にある水平バー(１)の間にアイテム設置ポスト(１９)を垂直に連結する。このアイテム設置ポスト(１９)にＴＶモニタ(２１)やテーブル(２４)を装備する。アイテム設置ポスト(１９)の水平バー(１)上の位置は使いやすいように調整できる。ＴＶモニタ (２１)は、アイテム設置ポスト(１９)との間にモニタアーム(２０)を仲介させ見やすいようにＴＶモニタの位置を調整できる様にする。テーブル(２４)は、アイテム設置ポスト(１９)にテーブル支持台(２２)を取り付け、そこに蝶番(２３)でテーブル(２４)を接続する。テーブル支持台(２２)のアイテム設置ポスト(１９)上の位置は使いやすいように調整できる。テーブル支持台(２２)またはアイテム設置ポスト(１９)自体がアイテム設置ポスト(１９)の長手方向軸に対して低トルクで回転する機構にしておく。テーブル(２４)が回転せず固定された状態では、使用中の安全性に問題がある。また、テーブル未使用時には蝶番(２３)によってテーブル(２４)を垂直に立て、留め具(２５)で留められる機構にする。
【発明の効果】
【００１９】
上述したように、一般家庭の既存のベッドに最小限のスペース増加でハンモックスタンドを施設することが出来、従来のハンモックスタンドと同等の耐久性でハンモックの使用が可能となると共に安全性の向上および使用目的に対応した最適化も図れる。また、このハンモックスタンドに各種アイテムを装備することにより、新たな居住空間を造る事が可能となる。
【図面の簡単な説明】
【００２０】
【図１】本発明のハンモックスタンドの斜視図。
【図２】本発明のハンモックスタンドをベッドにセットした斜視図。
【図３】従来のハンモックスタンド例１の斜視図。
【図４】従来のハンモックスタンド例２の斜視図。
【図５】取っ手バーを付加した本発明のハンモックスタンドの斜視図。
【図６】転落防止機構を付加した本発明のハンモックスタンドの斜視図。
【図７】転落防止機構の装着図。
【図８】新たな形態のハンモックに対応した本発明のハンモックスタンドの斜視図。
【図９】２つの高さのフレームを装備した本発明のハンモックスタンドの斜視図。
【図１０】読書使用時のハンモックスタンドの斜視図。
【図１１】図９に補強、取っ手を付加した本発明のハンモックスタンドの斜視図。
【図１２】ベッドに座った時の背もたれとして活用した本発明のハンモックスタンドの斜視図。 
【図１３】ＴＶモニタおよびテーブルを装備した本発明のハンモックスタンドの斜視図。 
【図１４】ＴＶモニタおよびテーブル(未使用時)を装備した本発明のハンモックスタンドの斜視図。 
【図１５】パソコン使用時のハンモックスタンドの斜視図。
【発明を実施するための形態】
【００２１】
以下、本発明の実施の形態を図１,２,５,７,８,９,10,11,12,13,14,15に基づいて説明する。
【００２２】
図１は全体の枠組み構造であり、水平バー(１)はその両端にポスト(２)が連結されている。その連結角度は曲げ応力に対する耐久性や利便性により決定する。この構造が２組平行に置かれ、対向したポスト(２)の上端が連結バー(３)で連結される。対向した前後の水平バー(１)は補強バー(４)で連結され、枠組み全体の歪みを抑制する。対向した前後のポスト(２)と連結バー(３)の連結点はチェーン(５)で連結され、そのチェーン(５)の中間点でハンモック(７)が吊り下げられる構造となる。チェーン(５)の長さは、ハンモック(７)からの引っ張り力に対する耐久性およびハンモック(７)のたるみ度によって決定する。
【００２３】
図２は、ベッド(８)に本発明のハンモックスタンドが施設された図である。連結バー(３)の長さは、ベッド(８)の短手方向の長さに水平バー(１)及びポスト(２)の設置分が加味された値となる。ハンモックスタンド全体の長手方向の長さは、ベッド(８)の長手方向の長さに合わせる。
【００２４】
図５は、図２に取っ手バー(９)を付加した図である。取っ手バー(９)の高さは、ハンモックに人が乗った時つかまりやすい高さに設定する。
【００２５】
図７は、転落防止機構が装着された図である。奥に取っ手バー(９)、手前に転落防止用渡しロープ(１０)が設置されている。転落防止用渡しロープ(１０)は取り外しが容易なので、ベッドに入る時に転落防止用渡しロープ(１０)を外し、ベッドに入った後転落防止用渡しロープ(１０)を取り付ける。取っ手バー(９)および転落防止用渡しロープ(１０)には、転落防止連結ロープ(１１)が繋がっている。転落防止連結ロープ(１１)の端は輪になっており、この輪に取っ手バー(９)または転落防止用渡しロープ(１０)が通されるため、これをスライドして移動することが出来る。人はベルト(１２)を装着した後ハンモックに乗り、ベルト(１２)の両脇に付いた転落防止用フック(１３)に転落防止連結ロープ(１１)を繋げて、ハンモックからの人の転落防止機構が完成する。
【００２６】
図８は、ハンモックの吊り下げ部を１つにまとめずに平行の綱をそのまままっすぐに伸ばしてこの複数の綱を吊り下げ部にしようとする新たな形態のハンモック(１４)とこれを吊り下げる本発明のハンモックスタンドを示している。ハンモックスタンドのチェーン部(５)には複数のフック(１５)が取り付けられており、このフックに新たな形態のハンモック(１４)を吊り下げる。
【００２７】
図９は、ポスト(２)と連結バー(３)で構成されたフレームのセットを高いものと低いもの１セットづつ計２セットを水平バー(１)に取り付けた本発明のハンモックスタンドを示している。図１０は、高い方のフレームにハンモックを吊り下げ、読書用のソファーとして使用している図を示している。図１１は、図９のハンモックスタンドに補強バー(１６)と手前のポスト(２)に取っ手バー(９)を付加した図である。この取っ手バー(９)は本ハンモックスタンドが設置されたベッドに出入りする際これにつかまり、足がハンモックに引っ掛かっても転ばないようにするための取っ手である。
【００２８】
図１２は、一対のポスト(２)と連結バー(３)で構成されたフレームのセットが２段装備された本発明のハンモックスタンドがベッド(８)に施設された状態において、ハンモックの一方の端を上段のフレームに吊り下げ、他方の端を下段のフレームに吊り下げ、下段に吊り下げた側のハンモック(７)を押え付けバー(１７)でベッドに押え付けている。吊り下げ位置が上段フレーム側のハンモックの浮いた部分が、人がベッドに座った時の背もたれとなる。ハンモック(７)の吊り下げ部とフック(６)の間に長さ調節バンド(１８)を挿入して、この長さを調節することにより背もたれのリクライニングを調節することが出来る。
【００２９】
図１３、１４は、手前と奥両方に取っ手バー(９)が設置された本発明のハンモックスタンドにおいて、ＴＶモニタ(２１)とテーブル(２４)を装備した図である。手前の取っ手バー(９)とその直下にある水平バー(１)の間にアイテム設置ポスト(１９)を垂直に連結し、そこにモニタアーム(２０)を取り付け、その先にＴＶモニタ(２１)を取り付ける。アイテム設置ポスト(１９)の水平バー(１)上の位置とモニタアームの取り付け高さとモニタアーム(２０)自信の可動により、ＴＶモニタを見やすい位置に調整する。奥の取っ手バー(９)とその直下にある水平バー(１)の間にアイテム設置ポスト(１９)を垂直に連結し、そこにテーブル支持台(２２)を取り付け、そこにテーブル(２４)が蝶番(２３)によって接続されている。テーブル(２４)の位置は、アイテム設置ポスト(１９)の水平バー(１)上の位置とテーブル支持台(２２)の取り付け高さにより調整する。アイテム設置ポスト(１９)の長手方向軸に対するテーブル(２４)の回転は自由に行えるような機構になっている。テーブル(２４)未使用時は、図１４のごとく蝶番(２３)によってテーブル(２４)を垂直に立て留め具(２５)で留めて邪魔にならないようにする。
【００３０】
図１６は、ベッドに施設された本発明のハンモックスタンドにおいて、図１２の背もたれと図１３のＴＶモニタとテーブルの装備を行うことにより可能となった、パソコン使用を行っている図である。
【符号の説明】
【００３１】
１  水平バー
２  ポスト
３  連結バー
５  チェーン
６  フック
９  取っ手バー
１０  転落防止用渡しロープ
１１  転落防止連結ロープ
１２  ベルト
１３  転落防止用フック
１５  複数のフック
１７  押え付けバー
１８  長さ調節バンド
１９  アイテム設置ポスト
２０  モニタアーム
２１  ＴＶモニタ
２２  テーブル支持台
２３  蝶番
２４  テーブル
２５  留め具
【手続補正２】
【補正対象書類名】特許請求の範囲
【補正対象項目名】全文
【補正方法】変更
【補正の内容】
【特許請求の範囲】
【請求項１】
地面に設置された水平バー(１)の両端にポスト(２)が連結され、そのポスト(２)は、水平バー(１)の長手方向軸から斜め方向、水平バー(１)の長手方向の地面上の直交軸から９０度の角度で立っている。この水平バー(１)とその両端に連結された２本のポスト(２)の組み合わせの構造が２組平行に並べられ、その対向するポスト(２)の上端が連結バー(３)で連結された枠組み構造とする。この対向する両方のポスト(２)と連結バー(３)の連結点がチェーン(５)で連結され、そのチェーン(５)の中間点にハンモックを吊り下げるフック(６)が設けられてなることを特徴としたハンモックスタンド。

【請求項２】

請求項１のハンモックスタンドの水平バー(１)の両端のポスト(２)の中間部に、この２本のポスト(２)をつなぐ、水平バー(１)に平行となる取っ手バー(９)が設けられてなることを特徴としたハンモックスタンド。

【請求項３】
請求項２の取っ手バー(９)または請求項１のハンモックスタンドの水平バー(１)の両端のポスト(２)の上端を繋いだ転落防止用渡しロープ(１０)が、請求項１のハンモックスタンドの平行に並んだ2組(前後)の水平バー(１)と両端のポスト(２)の組み合わせの両方に設置される。各々の取っ手バー(９)または転落防止用渡しロープ(１０)には、その取っ手バー(９)または転落防止用渡しロープ(１０)をスライドして移動できる転落防止連結ロープ(１１)が繋がれている。人はハンモックに乗る際ベルト(１２)を装着する。ベルト(１２)の両脇には転落防止用フック(１３)が付いており、この転落防止用フック(１３)に転落防止連結ロープ(１１)を繋ぐことによりなる、ハンモックからの人の転落防止機構が設けられてなることを特徴としたハンモックスタンド。

【請求項４】
請求項１のハンモックスタンドにおいて、チェーン(５)の適当な位置に複数個のフック(１５)を取り付け、これにハンモックを吊り下げることを特徴としたハンモックスタンド。

【請求項５】
請求項１のハンモックスタンドにおいて、各種長さのポスト(２)一対と連結バー(３)で構成されたフレームを複数個水平バー(１)に取り付け、複数の異なる高さのハンモック吊り下げ部位を装備したことを特徴としたハンモックスタンド。

【請求項６】

請求項１のハンモックスタンドにおいて、向かい合った水平バー(１)一対とこの２本の水平バー(１)の両端に連結されたポスト(２)一対と連結バー(３)で構成されたフレーム２セットの全体は、一連の閉じたフレームとなる。この閉じたフレームを地面に投影すると長方形になるが、この長方形の内側にできるだけ隙間が空かないようにしてベッド(寝具)を施設できるよう水平バー(１)、ポスト(２)および連結バー(３)の長さを調節して、ベッド(８)を施設する。このハンモックスタンドの２本の水平バー(１)の一方の端に連結された２本のポスト(２)のベッド上部の中間部にポスト(２)に対して垂直にこの２本のポスト(２)をつなぐ押え付けバー(１７)をセットする。このハンモックスタンドの一方のフック(６)に長さ調節バンド(１８)が吊り下げられ、その長さ調節バンド(１８)の他方の端にハンモック(７)が吊り下げられる。このハンモック(７)がベッド(８)と押え付けバー(１７)の間を通され、ハンモックの他方の端が長さ調節バンド(１８)が吊り下げられたフック(６)と反対側のフック(６)に吊り下げられる。この状態で押え付けバー(１７)をポスト(２)上を下に異動させ、ハンモック(７)をベッド(８)に押し付けて押え付けバー(１７)を固定する。ここで、長さ調節バンド(１８)を適当な長さに調節する事によって、押え付けバー(１７)と反対側のハンモック(７)の浮いた部分をベッド(８)に人が座った時の背もたれとして利用する。以上の特徴を有するベッドに座る際の背もたれ機能が装備されたハンモックスタンド。

【請求項７】

請求項１のハンモックスタンドにおいて、請求項２の取っ手バー(９)と水平バー(１)をつなぐ垂直なアイテム設置ポスト(１９)を設置する。アイテム設置ポスト(１９)の水平バー(１)上の位置は自由な調整、固定が可能な機構とする。アイテム設置ポスト(１９)の中間部にモニタアーム(２０)を設置し、これにＴＶモニタ(２１)を取り付ける。モニタアーム(２０)のアイテム設置ポスト(１９)上の位置は自由な調整、固定が可能な機構とする。以上の特徴を有するＴＶモニタ(２１)を装備したハンモックスタンド。

【請求項８】

請求項１のハンモックスタンドにおいて、請求項７のアイテム設置ポスト(１９)の中間部にテーブル支持台(２２)を設置し、これに蝶番(２３)によってテーブル(２４)を接続する。テーブル支持台(２２)のアイテム設置ポスト(１９)上の位置は自由な調整、固定が可能な機構とする。アイテム設置ポスト(１９)と取っ手バー(９)および水平バー(１)との接続部の回転機構またはアイテム設置ポスト(１９)とテーブル支持台(２２)の接続部の回転機構によって、アイテム設置ポスト(１９)の長手方向軸に対するテーブル(２４)の自由な回転を可能とする。テーブル(２４)は蝶番(２３)の回転軸に対して回転可能となるが、自重とテーブル支持台(２２)によって水平状態で安定する。また、蝶番(２３)の回転軸に対してテーブル(２４)を鉛直に持ち上げて留め具(２５)で留めることにより、この鉛直状態を保持できる。以上の特徴を有するテーブルを装備したハンモックスタンド。

【手続補正３】
【補正対象書類名】図面
【補正対象項目名】図１１
【補正方法】変更
【補正の内容】
【図１１】
2012029960.tif 000014
【手続補正４】
【補正対象書類名】図面
【補正対象項目名】図１２
【補正方法】追加
【補正の内容】
【図１２】
2012029960.tif 000015
【手続補正５】
【補正対象書類名】図面
【補正対象項目名】図１３
【補正方法】追加
【補正の内容】
【図１３】
2012029960.tif 000016
【手続補正６】
【補正対象書類名】図面
【補正対象項目名】図１４
【補正方法】追加
【補正の内容】
【図１４】
2012029960.tif 000017
【手続補正７】
【補正対象書類名】図面
【補正対象項目名】図１５
【補正方法】追加
【補正の内容】
【図１５】
2012029960.tif 000018
【手続補正書】
【提出日】平成23年10月31日(2011.10.31)
【手続補正１】
【補正対象書類名】特許請求の範囲
【補正対象項目名】全文
【補正方法】変更
【補正の内容】
【特許請求の範囲】
【請求項１】
地面に設置された水平バー(１)の両端にポスト(２)が連結され、そのポスト(２)は、水平バー(１)の長手方向軸から斜め方向、水平バー(１)の長手方向の地面上の直交軸から９０度の角度で立っている。この水平バー(１)とその両端に連結された２本のポスト(２)の組み合わせの構造が２組平行に並べられ、その対向するポスト(２)の上端が連結バー(３)で連結された枠組み構造とする。この対向する両方のポスト(２)と連結バー(３)の連結点がチェーン(５)で連結され、そのチェーン(５)の中間点にハンモックを吊り下げるフック(６)が設けられてなることを特徴としたハンモックスタンド。
【請求項２】
請求項１のハンモックスタンドにおいて、チェーン(５)の適当な位置に複数個のフック(１５)を取り付け、これにハンモックを吊り下げることを特徴としたハンモックスタンド。
【請求項３】
請求項１のハンモックスタンドにおいて、各種長さおよび角度のポスト(２)一対と連結バー(３)で構成されたフレームを複数個水平バー(１)に取り付け、複数の異なる高さのハンモック吊り下げ部位を装備したことを特徴としたハンモックスタンド。
【請求項４】
請求項１のハンモックスタンドにおいて、向かい合った水平バー(１)一対とこの２本の水平バー(１)の両端に連結されたポスト(２)一対と連結バー(３)で構成されたフレーム２セットの全体は、一連の閉じたフレームとなる。この閉じたフレームを地面に投影すると長方形になるが、この長方形の内側にできるだけ隙間が空かないようにしてベッド(寝具)を施設できるよう水平バー(１)、ポスト(２)および連結バー(３)の長さを調節して、ベッド(８)を施設する。このハンモックスタンドの２本の水平バー(１)の一方の端に連結された２本のポスト(２)のベッド上部の中間部にポスト(２)に対して垂直にこの２本のポスト(２)をつなぐ押え付けバー(１７)をセットする。このハンモックスタンドの一方のフック(６)に長さ調節バンド(１８)が吊り下げられ、その長さ調節バンド(１８)の他方の端にハンモック(７)が吊り下げられる。このハンモック(７)がベッド(８)と押え付けバー(１７)の間を通され、ハンモックの他方の端が長さ調節バンド(１８)が吊り下げられたフック(６)と反対側のフック(６)に吊り下げられる。この状態で押え付けバー(１７)をポスト(２)上を下に異動させ、ハンモック(７)をベッド(８)に押し付けて押え付けバー(１７)を固定する。ここで、長さ調節バンド(１８)を適当な長さに調節する事によって、押え付けバー(１７)と反対側のハンモック(７)の浮いた部分をベッド(８)に人が座った時の背もたれとして利用する。以上の特徴を有するベッドに座る際の背もたれ機能が装備されたハンモックスタンド。
【請求項５】
請求項１のハンモックスタンドにおいて、水平バー(１)の両端のポスト(２)の中間部に、この２本のポスト(２)をつなぐ、水平バー(１)に平行となる取っ手バー(９)を設ける。この取っ手バー(９)と水平バー(１)をつなぐ垂直なアイテム設置ポスト(１９)を設置する。アイテム設置ポスト(１９)の水平バー(１)上の位置は自由な調整、固定が可能な機構とする。アイテム設置ポスト(１９)の中間部にモニタアーム(２０)を設置し、これにＴＶモニタ(２１)を取り付ける。モニタアーム(２０)のアイテム設置ポスト(１９)上の位置は自由な調整、固定が可能な機構とする。以上の特徴を有するＴＶモニタ(２１)を装備したハンモックスタンド。
【請求項６】
請求項１のハンモックスタンドにおいて、請求項５のアイテム設置ポスト(１９)の中間部にテーブル支持台(２２)を設置し、これに蝶番(２３)によってテーブル(２４)を接続する。テーブル支持台(２２)のアイテム設置ポスト(１９)上の位置は自由な調整、固定が可能な機構とする。アイテム設置ポスト(１９)と取っ手バー(９)および水平バー(１)との接続部の回転機構またはアイテム設置ポスト(１９)とテーブル支持台(２２)の接続部の回転機構によって、アイテム設置ポスト(１９)の長手方向軸に対するテーブル(２４)の自由な回転を可能とする。テーブル(２４)は蝶番(２３)の回転軸に対して回転可能となるが、自重とテーブル支持台(２２)によって水平状態で安定する。また、蝶番(２３)の回転軸に対してテーブル(２４)を鉛直に持ち上げて留め具(２５)で留めることにより、この鉛直状態を保持できる。以上の特徴を有するテーブルを装備したハンモックスタンド。
【手続補正２】
【補正対象書類名】明細書
【補正対象項目名】００３０
【補正方法】変更
【補正の内容】
【００３０】
図１５は、ベッドに施設された本発明のハンモックスタンドにおいて、図１２の背もたれと図１３のＴＶモニタとテーブルの装備を行うことにより可能となった、パソコン使用を行っている図である。